(57)【要約】      （修正有）【課題】釘打ちによる振動が減衰され、釘を正確な位置に打ち出すことができるのみならず、使用者の手に与える反力も小さくて釘打ち作業時の心地よさが従来のものより大幅に向上することができる電動釘打機を提供する。【解決手段】発射装置は、その軸線が前記所定方向に延在し、且つそれ自体が該所定方向の反対方向へ摺動できるように設けられていて、前記作動装置のトリガ操作によって瞬間的に導通され一時的な磁気を生じるコイル手段と、前記反対方向から前記軸線の延長線上に沿ってその一端部だけが前記コイル手段内に突入しており、且つ、前記コイル手段が瞬間的に導通されて一時的な磁気を生じると、前記コイル手段と互いに吸引する異なる磁性を一旦生じながら、前記軸線上に沿って前記所定方向へ摺動し、前記コイル手段を挿通することができるように設けられている作動棒と、前記コイル手段の前記反対方向の側に設けられていることを特徴とする。【選択図】図３
0003101284.tif 000002
【実用新案登録請求の範囲】
【請求項１】
本体と、該本体に内蔵されていて磁力によって動作し、送り込まれる釘を所定方向に沿って本体外へ打ち出す発射装置と、該発射装置に電気的に接続されていて本体外のトリガによって前記発射装置を瞬間的に動作させる作動装置とを備えていて釘を射出する電動釘打機において、
前記発射装置は、
その軸線が前記所定方向に延在し且つそれ自体が該所定方向の反対方向へ摺動できるように設けられていて、前記作動装置のトリガ操作によって瞬間的に導通され一時的な磁気を生じるコイル手段と、
前記反対方向から前記軸線の延長線上に沿ってその一端部だけが前記コイル手段内に突入しており、且つ、前記コイル手段が瞬間的に導通されて一時的な磁気を生じると、前記コイル手段と互いに吸引する異なる磁性を一旦生じながら、前記軸線上に沿って前記所定方向へ摺動し、前記コイル手段を挿通することができるように設けられている作動棒と、
前記コイル手段の前記反対方向の側に設けられており、該コイル手段が瞬間的に導通されて一時的な磁気を生じると同時に前記作動棒に異なる磁性を生じさせてそれに吸引される際、該コイル手段の前記反対方向への摺動を緩衝する弾性緩衝手段と、
その作用端が前記作動棒の他端部にかかるように設けられていて、前記作動棒が前記所定方向に摺動する際、前記摺動と対抗しながら弾性回復力を貯え、前記瞬間的な導通が完了すると、該弾性回復力によって前記作動棒を元の位置に回復させる弾性回復手段とを備えていることを特徴とする電動釘打機。
【請求項２】
前記コイル手段の前記反対方向の側に、固定ブロックが設けられており、
前記弾性緩衝手段は、前記固定ブロックと前記コイル手段との間に設けられていることを特徴とする請求項１に記載の電動釘打機。
【請求項３】
前記コイル手段は、その軸線がコイル手段全体の前記軸線となって前記所定方向に延在し且つその両端部とも開口している中空軸と、該中空軸上に巻き付けられているコイルとからなり、
前記固定ブロックに前記軸線に沿う通孔が形成されており、
前記コイル手段の前記所定方向の側に、前記コイル手段を突っ張っていて前記所定方向への摺動を阻止する阻止ブロックが設けられており、
前記阻止ブロックに前記軸線に沿う貫通孔が形成されており、
前記コイル手段の中空軸は、その一端部が前記コイルから前記反対方向の側へ突出して前記固定ブロックの通孔を挿通し、他端部が前記阻止ブロックの貫通孔を挿通しており、
前記弾性緩衝手段は複数のコイルばねからなって前記コイル手段と前記固定ブロックとの間の中空軸の周りに配列されていることを特徴とする請求項２に記載の電動釘打機。
【請求項４】
前記作動棒の前記一端部が前記中空軸内に摺動可能に突入しており、
前記作動棒の前記一端部に、前記中空軸の軸線上に沿って延伸しており、前記作動棒の前記所定方向へ摺動すると共に、所定方向へ摺動して前記釘を突き当てる突き針が連結されており、
前記作動棒の他端部に前記弾性回復手段の作用端がかかるヘッドが張出しになっていることを特徴とする請求項３に記載の電動針打機。
【請求項５】
前記弾性回復手段として、一端が前記作動棒のヘッドに、他端が前記固定ブロックに突っ張っている圧縮型のコイルばねが使用されていることを特徴とする請求項４に記載の電動釘打機。
【考案の詳細な説明】
【技術分野】
【０００１】
本考案は、電動釘打機に関し、特に釘打ち作業による振動が減衰される電動釘打機に関する。
【背景技術】
【０００２】
図１に示すように、従来からの電動釘打機は、電気を動力源として、瞬間的に磁力を発生することにより、釘を発射して釘打ち対象に打ち込むものである。このような電動釘打機は、本体１と、該本体の下部に設けられ、複数の釘を収納しているマガジン２と、該本体１に内蔵されていて磁力によって動作し、前記マガジン２から送り込まれる釘を所定方向に沿って本体１外へ打ち出す発射装置３と、該発射装置３に電気的に接続されていて本体１外のトリガ４１によって前記発射装置３を瞬間的に動作させる作動装置４とを備えている。
【０００３】
前記発射装置３は、コイル手段３１と、作動棒３２と、弾性回復手段３３とを備えている。前記コイル手段３１は、その軸線が前記所定方向に延在するように前記本体１内に固定されていて、前記作動装置４のトリガ操作によって瞬間的に導通され一時的な磁気を生じることができる。前記作動棒３２は、前記反対方向から前記軸線の延長線上に沿ってその一端部３２１だけが前記コイル手段３１内に突入しており、且つ、前記コイル手段３１が瞬間的に導通されて一時的な磁気を生じると、前記コイル手段３１と互いに吸引する異なる磁性を一旦生じながら、前記軸線上に沿って前記所定方向へ摺動し、前記コイル手段３１を挿通することができるように設けられている。前記弾性回復手段３３は、その作用端が前記作動棒３２の他端部３２２にかかるように設けられていて、前記作動棒３２が前記所定方向に摺動する際、前記摺動と対抗しながら弾性回復力を貯え、前記瞬間的な導通が完了すると、該弾性回復力によって前記作動棒３２を元の位置に回復させることができる。
【０００４】
前記作動棒３２の前記一端部３２１に、前記軸線に沿って延伸しており、前記作動棒３２の前記所定方向へ摺動すると共に、所定方向へ摺動して前記釘を突き当てる突き針３２３が連結されている。前記作動棒３２の他端部３２２に前記弾性回復手段３３の作用端がかかるヘッド３３１が張出しになっている。
【０００５】
前記マガジン２内から前記所定方向上に送り込まれた釘を釘打対象に打ち込もうとする場合、まず、前記トリガ４１を押圧して前記作動装置４によって前記コイル手段３１を瞬間的に導通させ、一時的な磁気を生じると、前記作動棒３２が前記コイル手段３１と互いに吸引する異なる磁性を一旦生じながら、前記軸線上に沿って前記所定方向へ摺動し、前記コイル手段３１を挿通する。この時、前記突き針３２２が前記作動棒３２の前記所定方向へ摺動すると共に、所定方向へ摺動して前記所定方向上に送り込まれた釘を突き当てて本体外へ打ち出すことができる。
【０００６】
図２に示すように、前記コイル手段３１と前記作動棒３２とが異なる磁性によって互いに吸引される際、前記作動棒３２に前記コイル手段３１の磁性による引力Ｆｓが生じられると共に、前記コイル手段３１に前記作動棒３２の磁性による引力Ｆｎが生じられる。前記作動棒３２が前記引力Ｆｓに吸引され、前記所定方向へ摺動するが、前記コイル手段３１が前記本体１内に固定されているので、前記引力Ｆｎが前記本体１に伝えられて本体全体を振動させ、釘打ちを正当な位置から変位させるのみならず、使用者の手にも大きな反力を与える。
【考案の開示】
【考案が解決しようとする課題】
【０００７】
上記に鑑みて、本考案は、釘打ちによる振動が減衰され、釘を正確な位置に打ち出すことができるのみならず、使用者の手に与える反力も小さくて釘打ち作業時の心地よさが従来のものより大幅に向上することができる電動釘打機を提供しようとすることを目的とする。
【課題を解決するための手段】
【０００８】
前記目的を達成するために、本考案は、本体と、該本体に内蔵されていて磁力によって動作し、送り込まれる釘を所定方向に沿って本体外へ打ち出す発射装置と、該発射装置に電気的に接続されていて本体外のトリガによって前記発射装置を瞬間的に動作させる作動装置とを備えていて釘を射出する電動釘打機において、前記発射装置は、その軸線が前記所定方向に延在し、且つそれ自体が該所定方向の反対方向へ摺動できるように設けられていて、前記作動装置のトリガ操作によって瞬間的に導通され一時的な磁気を生じるコイル手段と、前記反対方向から前記軸線の延長線上に沿ってその一端部だけが前記コイル手段内に突入しており、且つ、前記コイル手段が瞬間的に導通されて一時的な磁気を生じると、前記コイル手段と互いに吸引する異なる磁性を一旦生じながら、前記軸線上に沿って前記所定方向へ摺動し、前記コイル手段を挿通することができるように設けられている作動棒と、前記コイル手段の前記反対方向の側に設けられており、該コイル手段が瞬間的に導通されて一時的な磁気を生じると同時に前記作動棒に異なる磁性を生じさせてそれに吸引される際、該コイル手段の前記反対方向への摺動を緩衝する弾性緩衝手段と、その作用端が前記作動棒の他端部にかかるように設けられていて、前記作動棒が前記所定方向に摺動する際、前記摺動と対抗しながら弾性回復力を貯え、前記瞬間的な導通が完了すると、該弾性回復力によって前記作動棒を元の位置に回復させる弾性回復手段とを備えていることを特徴とする電動釘打機を提供する。
【考案の効果】
【０００９】
このように構成されている本考案の電動釘打ち機は、コイル手段がその軸線が前記所定方向に延在し、且つそれ自体が該所定方向の反対方向へ摺動できるように設けられている上、前記コイル手段の前記反対方向の側に弾性緩衝手段が設けられているので、前記コイル手段及び前記作動棒が前記駆動装置によって磁性を生じると、前記コイル手段は、前記作動棒の所定方向への摺動と共に、前記反対方向へ摺動し、且つ、その摺動が前記弾性緩衝手段によって緩衝されることができるため、前記コイル手段を吸引する引力による本体の振動が解消され、釘を正確な位置に打ち出すことができるのみならず、手に与える反力がなくなり、釘打ち時の心地よさが向上することができる。
【考案を実施するための最良の形態】
【００１０】
以下、図面を参照しながら、本考案の電動釘打機の好適な実施形態を説明する。図３に示すように、本考案の実施形態の電動釘打機は、本体５と、該本体５の下部に設けられ、複数の釘を収納しているマガジン６と、該本体５の先頭に上下伸びてなる部分に内蔵されていて磁力によって動作し、前記マガジン６から送り込まれる釘を所定方向に沿って本体５外へ打ち出す発射装置７と、該発射装置７に電気的に接続されていて本体５外のトリガ８１によって前記発射装置７を瞬間的に動作させる作動装置８とを備えていて釘を射出するものである。
【００１１】
前記発射装置７は、コイル手段７１と、作動棒７２と、弾性緩衝手段７３と、弾性回復手段７４とを備えている。
そして、前記コイル手段７１は、その軸線が前記所定方向に延在し且つそれ自体が該所定方向の反対方向へ摺動できるように設けられていて、前記作動装置８のトリガ操作によって瞬間的に導通され一時的な磁気を生じることができるものであり、その軸線がコイル手段７１全体の前記軸線となって前記所定方向に延在し且つその両端部７１３，７１４とも開口している中空軸７１１と、該中空軸７１１上に巻き付けられているコイル７１２とからなっている。
【００１２】
そして、前記本体５内における前記コイル手段７１の前記反対方向の側に、固定ブロック７５が設けられている。前記固定ブロック７５に前記軸線に沿う通孔７５１が形成されている。また、前記本体５内における前記コイル手段７１の前記所定方向の側に、前記コイル手段７１を突っ張っていて前記所定方向への摺動を阻止する阻止ブロック７６が設けられている。前記阻止ブロック７６に前記軸線に沿う貫通孔７６１が形成されている。前記コイル手段７１の中空軸７１１は、その一端部７１３が前記コイル７１２から前記反対方向の側へ突出して前記固定ブロック７５の通孔７５１を挿通し、他端部７１４が前記阻止ブロック７６の貫通孔７６１を挿通している。
【００１３】
また、前記作動棒７２は、前記反対方向から前記軸線の延長線上に沿ってその一端部７２１だけが前記コイル手段７１内に突入しており、且つ、前記コイル手段７１が瞬間的に導通されて一時的な磁気を生じると、前記コイル手段７１と互いに吸引する異なる磁性を一旦生じながら、前記軸線上に沿って前記所定方向へ摺動し、前記コイル手段７１を挿通することができるように設けられている。前記作動棒７２の前記一端部７２１が前記中空軸７１１内に摺動可能に突入している。
【００１４】
前記作動棒７２の前記一端部７２１に、前記中空軸７１１の軸線上に沿って延伸しており、前記作動棒の前記所定方向へ摺動すると共に、所定方向へ摺動し、前記マガジン６から送り込まれる釘を突き当てる突き針７７が連結されている。前記作動棒７２の他端部７２２に前記弾性回復手段７４の作用端がかかるヘッド７４１が張出しになっている。
【００１５】
また、前記弾性緩衝手段７３は、前記固定ブロック７５と前記コイル手段７１との間（前記コイル手段７１の前記反対方向の側）に設けられており、該コイル手段７１が瞬間的に導通されて一時的な磁気を生じると同時に前記作動棒７２に異なる磁性を生じさせてそれに吸引される際、該コイル手段７１の前記反対方向への摺動を緩衝することができる。本実施形態において、前記弾性緩衝手段７３は複数のコイルばねからなって前記コイル手段７１と前記固定ブロック７５との間の中空軸７１１の周りに配列されているが、前記弾性緩衝手段７３として単一のコイルばねからなって前記コイル手段７１と前記固定ブロック７５との間の中空軸７１１の周りに回ってなるものやゴム、スポンジなど他の弾性を持つものが使用されてもよい。
【００１６】
前記弾性回復手段７４は、その作用端が前記作動棒７２の他端部７２２におけるヘッド７４１にかかるように設けられていて、前記作動棒７２が前記所定方向に摺動する際、前記摺動と対抗しながら弾性回復力を貯え、前記瞬間的な導通が完了すると、該弾性回復力によって前記作動棒７２を元の位置に回復させることができる。本実施形態において、前記弾性回復手段７４として、一端が前記作動棒７２のヘッド７４１に、他端が前記固定ブロック７５に突っ張っている圧縮型のコイルばねが使用されている。
【００１７】
また、前記駆動装置８は、前記本体外の手持ち部分に設けられているトリガ８１の他に、前記トリガ８１と前記コイル手段７１との間に電気的に接続されおり、トリガ操作によって導通され、前記コイル手段７１に磁性を生じる回路制御手段８２を備えている。
【００１８】
図４及び図５に示すように、前記マガジン６内から前記所定方向上に送り込まれた釘を釘打対象に打ち込もうとする場合、まず、前記トリガ８１を押圧して前記作動装置８の回路制御手段８２によって前記コイル手段７１を瞬間的に導通させ、一時的な磁気を生じさせることにより、前記作動棒７２を前記コイル手段７１と互いに吸引する異なる磁性を一旦生じながら、前記軸線上に沿って前記所定方向へ摺動し、前記コイル手段７１を挿通するようにさせる。この時、前記作動棒７２に前記コイル手段３１の磁性による引力Ｆｓがかかると共に、前記コイル手段７１に前記作動棒７２の磁性による引力Ｆｎがかかる。前記作動棒７２が前記引力Ｆｓに吸引され、前記所定方向へ摺動しながら、前記弾性回復手段７４を圧縮する一方、前記コイル手段７１が前記引力Ｆｎに吸引され、前記反対方向へ摺動すると共に、前記固定ブロック７５と前記コイル手段７１との間に設けられている弾性緩衝手段７３が前記コイル手段７１の前記反対方向への摺動を緩衝する。前記突き針７７が前記作動棒７２の前記所定方向へ摺動すると共に、所定方向へ摺動して前記所定方向上に送り込まれた釘を突き当てて本体外へ打ち出すことができる。その後、前記弾性回復手段７４の弾性回復力によって、前記作動棒７２が元の位置に回復させられる。
【００１９】
上記のように、本実施形態の電動釘打機は、前記コイル手段７１がその軸線が前記所定方向に延在し、且つそれ自体が該所定方向の反対方向へ摺動できるように設けられている上、前記コイル手段７１の前記反対方向の側に前記弾性緩衝手段７３が設けられているので、前記コイル手段７１及び前記作動棒７２が前記駆動装置８によって磁性を生じると、前記コイル手段７１は、前記作動棒７２の所定方向への摺動と共に、前記反対方向へ摺動し、且つ、その摺動が前記弾性緩衝手段７３によって緩衝されることができるため、前記コイル手段７１を吸引する引力による本体の振動が解消され、釘を正確な位置に打ち出すことができるのみならず、手に与える反力もなくなり、釘打ち時の心地よさが向上することができる。
【産業上の利用可能性】
【００２０】
上記のように、本考案によれば、釘打ちによる振動が減衰され、釘を正確な位置に打ち出すことができるのみならず、使用者の手に与える反力も小さくて釘打ち作業時の心地よさが従来のものより大幅に向上することができる電動釘打機を提供することができる。
【図面の簡単な説明】
【００２１】
【図１】従来の電動釘打機を示す断面図
【図２】従来の電動釘打機の釘打ち時の状態を示す説明図
【図３】本考案の電動釘打機の実施形態を側面からみた断面図
【図４】図３における前記実施形態の電動釘打機の一部拡大図
【図５】前記実施形態の電動釘打機の釘打状態を示す断面図
【符号の説明】
【００２２】
１      本体
２      マガジン
３      発射装置
３１    コイル手段
３２    作動棒
３２１  一端部
３２２  他端部
３２３  突き針
３３    弾性回復手段
４      駆動装置
４１    トリガ
５      本体
６      マガジン
７      発射装置
７１    コイル手段
７１１  中空軸
７１２  コイル
７１３  一端部
７１４  他端部
７２    作動棒
７２１  一端部
７２２  他端部
７３    弾性緩衝手段
７４    弾性回復手段
７４１  ヘッド
７５    固定ブロック
７５１  通孔
７６    阻止ブロック
７６１  貫通孔
７７    突き針
８      駆動装置
８１    トリガ
８２    回路制御手段
【図１】
0003101284.tif 000003
【図２】
0003101284.tif 000004
【図３】
0003101284.tif 000005
【図４】
0003101284.tif 000006
【図５】
0003101284.tif 000007